(57)【要約】【課題】端子板を折り曲げ加工して端子を製造する際に、ネジを挿通する穴の変形を抑制することができる端子を提供する。【解決手段】ネジが挿通される穴を有する第１の平板と、前記第１の平板と交差する方向に配置された第２の平板と、前記第１の平板と前記第２の平板とを接続する屈曲部と、からなる端子であって、前記屈曲部の中間領域に開口部を有する。【選択図】  図１
2015220188.tif 000002
【特許請求の範囲】
【請求項１】
ネジが挿通される穴を有する第１の平板と、前記第１の平板と交差する方向に配置された第２の平板と、前記第１の平板と前記第２の平板とを接続する屈曲部と、からなる端子であって、
前記屈曲部の中間領域に開口部を有する
ことを特徴とする端子。
【請求項２】
請求項１に記載の端子であって、
前記開口部の前記第１の平板側に位置する側の辺が円弧状の形状を有する
ことを特徴する端子。
【請求項３】
端子と、前記端子を上面に保持するケースと、前記端子を挟んで前記ケースと当接することにより固定されるカバーと、からなる端子固定構造であって、
前記端子は、請求項１又は２に記載された端子であり、
前記カバーには、前記ケース側に突出する爪部が形成されており、前記爪部が前記端子の開口部に嵌入されることにより、前記端子と前記ケースと前記カバーとが一体化されている
ことを特徴とする端子固定構造。
【請求項４】
端子と、前記端子を上面に保持するケースと、前記端子を挟んで前記ケースと当接することにより固定されるカバーと、からなる回路遮断器であって、
前記端子は、請求項１又は２に記載された端子であり、
前記カバーには、前記ケース側に突出する爪部が形成されており、前記爪部が前記端子の開口部に嵌入されることにより、前記端子と前記ケースと前記カバーとが一体化されている
ことを特徴とする回路遮断器。
【請求項５】
請求項４に記載の回路遮断器であって、
前記ケースは、前記端子を保持するための仕切られた空間を有し、前記空間の幅と前記端子の幅とが同一となるように形成されている
ことを特徴とする回路遮断器。
【発明の詳細な説明】
【技術分野】
【０００１】
本発明は、圧着端子等が接続される端子及び当該端子を固定する固定構造に関する。
【背景技術】
【０００２】
従来、回路遮断器等の端子部構造として、特開平１０−１３４８５９号公報（特許文献１）に記載されたものが知られている。
当該特許文献１には、絶縁壁で仕切られたフレームの端子収容部に固定されたネジ孔を有する固定端子に丸形圧着端子等を接続する電気機器の端子装置において、前記ネジ孔に先端が結合する雄ネジと、この雄ネジに回動可能に保持され、一方を固定端子側に折曲した案内板部を有する逆Ｌ字形座金とからなる端子ネジを備え、前記端子収容部に、前記逆Ｌ字形座金の案内板部が挿入されて、該案内板部の上下方向の移動をガイドするとともに、雄ネジの先端が固定端子に結合した状態では、前記案内板部のガイドを解除する案内溝を形成するとともに、雄ネジの先端が固定端子との間で一定間隔を有するように前記案内溝にガイドされた案内板部を保持する係合部を、前記逆Ｌ字形座金の案内板部及び前記案内溝側に形成したものが記載されている（特許文献１の請求項１参照）。
【先行技術文献】
【特許文献】
【０００３】
【特許文献１】特開平１０−１３４８５９号公報
【発明の概要】
【発明が解決しようとする課題】
【０００４】
上記特許文献１に記載された端子装置では、逆Ｌ字形座金は、案内板部と雄ネジが貫通する穴を有する水平部とからなり、このような形状の座金は、通常板材を折り曲げ及びプレス加工することにより形成される。
このような折り曲げ及びプレス加工において、上記逆Ｌ字形座金の水平部に設けられた穴の加工は、折り曲げ又はプレス加工の前に打ち抜き加工等で形成されることが一般的である。
しかしながら、予め穴が形成された板材を逆Ｌ字形に折り曲げる加工を行う場合に、当該折り曲げ加工部と水平部の穴との距離が近いと、折り曲げ加工時に銅等の導電性金属からなる板材の材料が流動することから、穴を形成する水平部の材料が折り曲げ加工部側に流れてしまい、水平部に形成した丸穴の形状が変形してしまうという問題があった。
特に、端子装置全体のコンパクト化、軽量化のために端子自体の水平部の大きさや板厚をより小さくしたい場合、穴が折り曲げ加工部により近づくこととなるため、穴の変形がより顕著となってしまう。
そこで、本発明は、端子板を折り曲げ加工して端子を製造する際に、ネジを挿通する穴の変形を抑制することができる端子を提供する。
【課題を解決するための手段】
【０００５】
上記課題を解決するための構成として、本発明の端子は、ネジが挿通される穴を有する第１の平板と、前記第１の平板と交差する方向に配置された第２の平板と、前記第１の平板と前記第２の平板とを接続する屈曲部と、からなり、前記屈曲部の中間領域に開口部を有する。
【発明の効果】
【０００６】
本発明によれば、端子板を折り曲げ加工して端子を製造する際に、ネジを挿通する穴の変形を抑制することができる端子を提供するができる。
また、本発明の端子は、当該端子を電気機器に固定するための構造を簡略化することも可能である。
上記した以外の課題、構成、及び効果は、以下の実施形態の説明により明らかにされる。
【図面の簡単な説明】
【０００７】
【図１】本発明の端子の具体的形状を示す斜視図である。
【図２】本発明の端子の形状の変形例を示す斜視図である。
【図３】本発明の端子を回路遮断器の接点として適用した例を示す図である。
【図４】図３の端子とケースとカバーとを一体に固定した状態の回路遮断器における一方の側面を切断した断面斜視図である。
【図５】回路遮断器の端子とケースとカバーとの固定構造の近傍を抜き出した概略斜視図である。
【図６】回路遮断器の端子とケースとカバーとの固定構造の近傍を抜き出した概略斜視図である。
【発明を実施するための形態】
【０００８】
以下、本発明の実施例を図面とともに説明する。
（実施例１）
図１は、本発明の端子の具体的形状を示す斜視図である。
図１に示すとおり、本発明の端子１０は、第１の平板１１と、第２の平板１２と、これら第１の平板１１及び第２の平板１２を接続する屈曲部１３と、上記第１の平板に形成されネジが挿通される丸穴１４と、上記屈曲部１３において上記第１の平板の幅の中間位置に形成された開口部１５と、を備えている。
【０００９】
本発明の端子１０を製造するにあたり、まず最初に、例えば銅合金等の端子用導電性材料の板材から例えば打ち抜き加工等で端子１０に必要な大きさの板材を切り抜く。
このとき、ネジが挿通される丸穴１４と、屈曲部１３に相当する位置に設けられる貫通した開口部１５とを打ち抜き加工にて同時に形成する。これにより、切り抜かれた板材の丸穴１４と開口部１５との間に接続領域１６が形成される。
【００１０】
このように切り抜かれた板材を、屈曲部１３において例えばプレス加工等で曲げ加工を行う。当該曲げ加工を行うことにより、図１に示すような端子１０の形状となる。
このとき、上記曲げ加工を行う前に屈曲部１３に開口部１５を形成しておくことにより、曲げ加工後の丸穴１４が変形することを抑制又は防止できる。
例えば、本発明の開口部１５を形成しない状態で端子用の板材を屈曲部１３で曲げ加工した場合、当該屈曲部１３を介して第１の平板１１と第２の平板とが連続的に接続されているため、金属の塑性変形に伴って材料が流動することにより丸穴１４の形状が変形してしまう。
これに対して、本発明のように屈曲部１３に開口部１５を形成しておくことにより、当該開口部１５の領域では第１の平板１１と第２の平板１２とが不連続となるため、上述した塑性変形に伴う材料の流れの影響が小さくなり、結果として丸穴１４の変形が抑制又は防止できる。
【００１１】
（実施例１の変形例）
図２は、本発明の端子の形状の変形例を示す斜視図である。
図１に示す実施例では、開口部１５を断面矩形の形状としていたが、上述したとおり、第１の平板１１と第２の平板１２との間での曲げ加工時の材料の流れを生じないように不連続な部分を形成することができれば、任意の断面形状としても良い。
例えば、図２に示すように、開口部１５の接続領域１６側の辺が円弧状となるような断面形状を適用し得る。
このような断面形状の開口部１５によれば、通常端子１０と電気的に接続される圧着端子等はその先端が円形であることが多いため、当該円形の圧着端子の先端の全面と接触を確保することができる。
【００１２】
（実施例２）
図３は、本発明の端子を回路遮断器の接点として適用した例を示す図である。
図３に示すように、回路遮断器は、本発明の端子１０をケース２０とカバー３０とで上下から挟む態様で固定する構造を有する。
【００１３】
図４は、図３に示す端子１０とケース２０とカバー３０とを一体に固定した状態の回路遮断器において、一方の側面を切断した断面斜視図である。
図４に示すように、本実施例の回路遮断器では、ケース２０に端子１０の第２の平面と対応する形状の凹部を形成し、当該凹部に端子１０を嵌合した後でカバー３０を端子１０の上側から嵌め込む際に、カバー３０の内面側に設けられた爪部３１を端子１０の開口部１５に挿入することにより、回路遮断器内で端子１０の位置決めを確実にすることができる。
また、本発明の端子を用いた回路遮断器では、端子１０をケース２０に固定する際にネジ締結等をする必要がなく、さらにボルトの頭部の分のスペースを考慮する必要がないため、部品点数を削減し得るとともに構造を簡素化することができる。
【００１４】
図５及び図６は、本実施例の回路遮断器の端子１０とケース２０とカバー３０との固定構造の近傍を抜き出した概略斜視図である。
図５に示すとおり、本実施例の回路遮断器では、ケース２０の内部を３分割し、それぞれの空間に端子１０を嵌合した後、上側からカバー３０を取り付けることにより固定構造を形成する。
カバー３０は、外観上ケース２０とほぼ同一の幅を有するとともに、ケース２０と同様に内部を３分割してあり、それぞれの空間に爪部３１が形成されている。
カバー３０の３か所の爪部３１を３つの端子１０の開口部１５にそれぞれ嵌入することにより、図６に示すように、端子１０とケース２０とカバー３０とが一体となり、がたつきのない強固な固定構造が形成される。
【００１５】
上述した実施例２において、端子１０の幅は、ケース２０の分割された空間の幅とほぼ同一であることが好ましい。
このような構成により、端子１０に圧着端子等をボルト締結する際に、端子１０の側面とケース２０の上記空間の側面とが当接するため、回り止めの機能を果たすとともに位置決めがよりいっそう確実に行われる。
【００１６】
なお、本発明は、上記した実施例に限定されるものではなく、様々な変形例が含まれる。
例えば、上記した実施例は、本発明を分かりやすく説明するために詳細に説明したものであり、必ずしも説明した全ての構成を備えるものに限定されるものではない。
また、ある実施例の構成の一部を他の実施例の構成に置き換えることが可能であり、ある実施例の構成に他の実施例の構成を加えることも可能である。
さらに、各実施例の構成の一部について、その他の構成の追加・削除・置換をすることが可能である。
【００１７】
また、上述した実施例において、本発明の端子部構造を回路遮断器に適用した例を示したが、本発明の端子部構造は、例えば、電磁接触器、電磁開閉器等の電気的に接点を形成するその他の電気機器や電子機器の接続部分にも適用が可能である。
【符号の説明】
【００１８】
１０  端子
１１  第１の平板
１２  第２の平板
１３  屈曲部
１４  丸穴
１５  開口部
１６  接続領域
２０  ケース
３０  カバー
３１  爪部
【図１】
2015220188.tif 000003
【図２】
2015220188.tif 000004
【図３】
2015220188.tif 000005
【図４】
2015220188.tif 000006
【図５】
2015220188.tif 000007
【図６】
2015220188.tif 000008